(57)【特許請求の範囲】
【請求項１】
古紙、フライアッシュおよび肥料を含有してなるシートを中空円筒状に成形した苗木成育用成形物であって、古紙１重量部に対して、フライアッシュ１〜１０重量部を含有し、水の含有量が１０重量％以下である該苗木成育用成形物。
【請求項２】
肥料の含有量が古紙１重量部に対して０重量部より大で２０重量部以下である請求項１記載の苗木成育用成形物。
【請求項３】
肥料の含有量が古紙１重量部に対して１〜２０重量部である請求項１記載の苗木成育用成形物。
【請求項４】
肥料の含有量が古紙１重量部に対して１〜５重量部である請求項１記載の苗木成育用成形物。
【請求項５】
古紙１重量部に対して、フライアッシュ５〜１０重量部および肥料１〜５重量部を含有し、水の含有量が１０重量％以下である請求項１記載の苗木成育用成形物。
【請求項６】
中空円筒の肉厚が０．５〜５ｃｍである請求項１〜５のいずれか１項に記載の苗木成育用成形物。
【請求項７】
中空円筒の高さが１０ｃｍ〜１ｍである請求項１〜６のいずれか１項に記載の苗木成育用成形物。
【請求項８】
請求項１〜７のいずれか１項に記載の苗木成育用成形物を円筒柱として土地に立てて埋め、中空部分に苗木を植え成育させることを特徴とする該苗木成育用成形物の使用方法。
【発明の詳細な説明】
【０００１】
【発明の属する技術分野】
本発明は再利用が求められている廃棄物である、古紙およびフライアッシュの利用に関するものであり、両者を構成成分とする雑草防止用シートまたは草木成育兼雑草防止用シートに関する。
【０００２】
【従来の技術】
古紙（古新聞紙、古雑誌、古段ボール、古本、使用済みコピー用紙等）は従来トイレットペーパー、ティッシュ、紙タオル、段ボール等に再生されてきたが、古紙を繰り返し製紙原料として使用するには製法上や価格上の限界があること（例えば、現状の技術で同じ白さの紙を古紙原料で製造するとパルプものより価格が高くなる）、包装の簡素化で段ボールの生産が伸び悩んでいること、事業系ごみが有料化されたことにより事務所などから大量の古紙が市場に流れ込んできたこと、自治体が古紙のリサイクルを熱心に進めていることなどから、供給が需要を大幅に上回っている。
また、一方古紙の焼却は炭酸ガスの排出を増大させ、またダイオキシン汚染等から法規制を受ける。
したがって、古紙の新たな利用法が種々検討されており、例えば活性炭化すること、コンクリート型枠材や床・壁の下地材とすること、アスファルト舗装材とすること等が提案されている。
また、火力発電所の残灰であるフライアッシュは国内で年間８００万トン発生し、セメントの増量材、建材、肥料等で約４００万トン使われているが、残りの４００万トンは海洋投棄されている。
【０００３】
【発明が解決しようとする課題】
本発明は、上記とは異なる新たな古紙およびフライアッシュの再利用方法を提供するものであり、古紙およびフライアッシュを構成成分とする雑草防止用シートまたは草木成育兼雑草防止用シートを提供することを目的とする。
【０００４】
【課題を解決するための手段】
上記課題は、古紙およびフライアッシュを含有する雑草防止用シート、または古紙およびフライアッシュを含有し、さらに肥料および／または草もしくは木の種を含有してなる草木成育兼雑草防止用シートによって解決された。
【０００５】
【発明の実施の形態】
以下に本発明を詳細に説明する。
本発明で使用する古紙は古新聞紙、古雑誌（利用に供された週刊誌、コミック誌、月刊誌等）、古段ボール、古本、使用済みコピー用紙等を包含する。本発明で使用する古紙はさらに印刷・製本業における紙廃棄物、紙・パルプ製造業における紙もしくはセルロース含有汚泥をも包含するものとする。
【０００６】
本発明で使用するフライアッシュは火力発電のためにまたはビル等の暖房のためにボイラー等で石炭や石油を燃焼させたときに生じる灰を包含するが、より狭義には主として火力発電所で発電のために石炭や石油を燃焼させたときに生じる灰、特に煙道ガス中の細かい灰を包含し、さらに狭義にはＪＩＳ  Ａ  ６２０１（１９５８）に規定されるものを包含するものとする。ＪＩＳ  Ａ  ６２０１によるとフライアッシュは微粉炭燃焼ボイラーから集塵機で採取する微小な灰の粒子であって、シリカ４５％以上、湿分１％以下、強熱減量５％以下、比表面積２７００ｃｍ２／ｇ以上、比重１．９５以上、４４μ標準篩いを７５％以上が通過するものと規定されている。本発明で使用するフライアッシュは上記のいずれであっても良いが、狭義になるほど好ましい。
【０００７】
本発明で使用する肥料は特に制限されず、市販の肥料のいずれをも包含する。すなわち、植物に養分を与えるために土壌に施す物質であれば、成分（窒素肥料、リン酸肥料、カリ肥料、複合肥料等）、物理的・化学的性質（酸性、中性またはアルカリ性肥料、無機質または有機質肥料、水溶性または水難溶性肥料、濃厚肥料等）、施肥時期（基肥、追肥等）、肥効速度（速効性または遅効性肥料）等を問わない。本発明で使用する肥料はさらに生ごみ、落ち葉、下水処理場から生じる活性汚泥等から製造した堆肥、腐葉土をも包含する。
本発明で使用する草もしくは木の種は特に制限されず、例えば、野菜、草花、芝草、花木、植林用の木、観葉植物等の種を用いることができる。
本発明で使用する水は特に制限されず、水道水、地下水、河川・湖沼の水等を使用でき、また軟水、硬水も問わない。
【０００８】
次に本発明を雑草防止用シートと草木成育兼雑草防止用シートに分けて説明する。
本発明の雑草防止用シートにおける各成分の使用比率に関しては、本発明の雑草防止用シートは古紙１重量部に対し、フライアッシュ１〜１０重量部を含有し、水の含有量がシート重量の１０重量％以下であることが好ましく、古紙１重量部に対し、フライアッシュ５〜１０重量部を含有し、水の含有量がシート重量の１０重量％以下、特に６重量％以下であることがさらに好ましい。古紙１重量に対するフライアッシュの割合が１重量部未満であると保水性および遮光性が不十分となる恐れがあり、１０重量部を超えると強度不足で取扱いが困難となる恐れがある。また、雑草防止用シート中の水の含有量がシート重量の１０重量％を超えると強度不足で取扱いが困難となる恐れがある。
【０００９】
本発明の雑草防止用シートの製造方法については特に制限はないが、通常、古紙、フライアッシュおよび水を混合し、必要に応じ脱水後、シート状に成形し、ついで乾燥して得ることができる。
各成分の使用量は乾燥物が前記した成分比率になるようにすれば良いが、混合の効率や容易性を考慮して水はかなり多めに使用するのが良い。一例を示すと、古紙１〜５重量部、フライアッシュ５〜１０重量部および水１０〜９０重量部を混合する。
混合に先立ち、古紙は、それから異物（例えば雑誌等のホッチキス針等の金属等）を除き、通常５ｃｍ以下、特に２ｃｍ以下の幅に切断するのが好ましい。切断幅は狭ければ狭い方が混合効率は良好である。各成分の混合順序についても特に制限はなく、全成分を一度に混合しても良いし、例えば古紙と水とを混合しスラリー化した後にフライアッシュを加えても良い。
混合は通常単なる混合や混練によって行われる。混合に使用する機械については特に制限はなく、ミキサー（ヘンシェルミキサー、ニーダー等）、ロールミル等を用いることができる。混合はできるだけ均質になるまで行うのが良いが、厳密に均質である必要はなく、均質混合は本発明の雑草防止用シートを得るための必須要件ではない。
【００１０】
混合後、シート状に成形する。シートの厚さは、乾燥後の厚さとして０．１〜１ｃｍであることが好ましい。シートの厚さが０．１ｃｍ未満であると、運搬、使用時にシートが切断しやすくなり、また適用地面下の雑草がシートを突き破って成長してくる恐れがある。また、シートの厚さが１ｃｍを超えても効力的には問題ないが、製造・運搬コストが高くなり不経済である。シートの形状・大きさには全く制限はなく、需要に合わせて任意の形状・大きさとすることができる。乾燥温度および乾燥方法には特に制限はなく、例えば、常温から２００℃の温度範囲で、送風乾燥、加熱乾燥、自然乾燥等によって行うことができる。
【００１１】
本発明の雑草防止用シートは土地の上に敷くことによってその箇所の雑草の発生・成長を防止することができる。本発明の雑草防止用シートを土地の上に敷く前に、必要に応じすでに生えている雑草を取り除く。この雑草の除去は地上面のみで良く、また背の低いものは必ずしも除去しないでも良い。
適用し得る土地の代表例として休耕田が挙げられる。本シートの使用によって除草剤等で田畑を荒らすこと無く休耕させることができる。耕作を再開する場合には、本シートを取り外すことも可能ではあるが、通常これを田畑の中に鋤込めば良い。本発明の雑草防止用シートはまた公園等の防雑草、植林地の防雑草、道路の路肩等の防雑草等にも使用することができる。
【００１２】
次に、本発明の草木成育兼雑草防止用シートにおける各成分の使用比率に関しては、本発明の草木成育兼雑草防止用シートが肥料を含有する場合、古紙１重量部に対し、フライアッシュ１〜１０重量部および肥料０重量部より大で２０重量部以下を含有し、水の含有量がシート重量の１０重量％以下であることが好ましく、古紙１重量部に対し、フライアッシュ５〜１０重量部および肥料１〜５重量部を含有し、水の含有量がシート重量の１０重量％以下、特に６重量％以下であることがさらに好ましい。古紙１重量に対するフライアッシュの割合が１重量部未満であると保水性および遮光性が不十分となる恐れがあり、１０重量部を超えると強度不足で取扱いが困難となる恐れがある。また、古紙が１重量に対する肥料の割合が２０重量部を超えると強度不足で取扱いが困難となる恐れがある。草木を成育させる観点から、古紙１重量部に対する肥料の割合は１重量部以上であることが好ましい。また、草木成育兼雑草防止用シート中の水の含有量がシート重量の１０重量％を超えると強度不足で取扱いが困難となる恐れがある。
本発明の草木成育兼雑草防止用シートが草もしくは木の種を含有する場合、かかる種の使用量に特に制限はない。一般的には通常の土壌への播種と同様な程度かやや（例えば２〜３割）多めが適当であるが、本発明はこれに制限されるものではない。この場合における他の成分の使用量は上記と同様で良い。
【００１３】
本発明の草木成育兼雑草防止用シートの製造方法については特に制限はないが、通常、古紙、フライアッシュ、肥料および／または草もしくは木の種、および水を混合し、必要に応じ脱水後、シート状に成形し、ついで乾燥して得ることができる。上記で先に乾燥を行った後、シート状に成形しても良い。
各成分の使用量は乾燥物が前記した成分比率になるようにすれば良いが、混合の効率や容易性を考慮して水はかなり多めに使用するのが良い。一例を示すと、古紙１〜５重量部、フライアッシュ５〜１０重量部、肥料０重量部より大から２０重量部および／または適当量の草もしくは木の種、および水１０〜９０重量部を混合する。
混合に先立ち、古紙は、それから異物（例えば雑誌等のホッチキス針等の金属等）を除き、通常５ｃｍ以下、特に２ｃｍ以下の幅に切断するのが好ましい。切断幅は狭ければ狭い方が混合効率は良好である。各成分の混合順序についても特に制限はなく、全成分を一度に混合しても良いし、例えば古紙と水とを混合しスラリー化した後に、フライアッシュ、および肥料および／または草もしくは木の種を加えても良い。
混合は通常単なる混合や混練によって行われる。混合に使用する機械については特に制限はなく、ミキサー（ヘンシェルミキサー、ニーダー等）、ロールミル等を用いることができる。混合は実質上均質になるまで行うのが良いが、厳密に均質である必要はなく、均質混合は本発明の草木成育兼雑草防止用シートを得るための必須要件ではない。
【００１４】
混合後、シート状に成形する。シートの厚さは、適用する土地の性質による。すなわち、土の十分にある土地については、乾燥後の厚さとして０．１〜１ｃｍであることが好ましい。シートの厚さが０．１ｃｍ未満であると、運搬、使用時にシートが切断しやすくなり、また適用地面下の雑草がシートを突き破って成長してくる恐れがある。また、シートの厚さが１ｃｍを超えると、製造・運搬コストが高くなり不経済である。
適用する土地が土の十分に無い土地、例えば砂地、石や岩混りの土地等、砂、石、岩等の占める割合の多い（例えば５０％以上）土地である場合には、乾燥後の厚さとして０．５〜５ｃｍ、特に０．５〜３ｃｍであることが好ましく、この場合該シートは保水、栄養供給等を通して種の着床、発芽、成長や苗（木）の成長を助け、また土地の土とを繋ぐパイプとしての役割を果たす。なお、シートの厚さが厚い場合の種の組込みは、種がシートの表面付近に多く集まるようにする等の操作を行うことによって、発芽の効率を高めることができる。
【００１５】
シートの形状・大きさには全く制限はなく、需要に合わせて任意の形状・大きさとすることができる。
乾燥温度および乾燥方法には特に制限はなく、例えば、常温から２００℃の温度範囲で、送風乾燥、加熱乾燥、自然乾燥等によって行うことができる。草もしくは木の種を組み込んでいる場合には、乾燥温度は４０℃以下であるのが好ましい。
【００１６】
本発明の草木成育兼雑草防止用シートはそこに草もしくは木を育成しようとする土地の上に敷く。本発明の草木成育兼雑草防止用シートを土地の上に敷く前に、必要に応じすでに生えている雑草を取り除く。この雑草の除去は地上面のみで良く、また背の低いものは除去しないでも良い。
該シートが肥料を含有しているが、草木の種を含有していない場合には、育てようとする草もしくは木の種をシート上に適当量播く。通常、発芽した種の少なくとも一部はシートを突き破って地面に根を下ろす。播く種の量はシートの厚さ、周囲の環境（雨が多いか少ないか、温度等）、種の種類等によって成育割合が変化する可能性があるので、一概には論ぜられないが、通常播種する量の１〜２倍程度が適当である。また、該シートは、その上に草木の種を蒔くことなく、すでに育成されている植林地等のすでに育成されている草木のある土地の施肥および除雑草のために使用することもできる。
【００１７】
該シートが草木の種を含有しているが、肥料を含有していない場合には、通常シート上に適宜施肥する。この施肥は通常の（＝シートを敷かない場合の）施肥と同様に行えば良い。
シート上に播種する場合もシートが草木の種を含有している場合も、種の発芽はおおむね通常の場合と同様良好であるが、発芽後成長する（＝地面に根を下ろす）株の割合はおおむねシートが草木の種を含有している場合の方がシート上に播種する場合よりも良好である。
該シートが草木の種も肥料も含有している場合には、通常の同様な成育管理を行っていけば良い。
いずれの場合も、実質上ほとんど雑草の共生をみることなく、または少なくとも土地に直に播種する場合に比し、圧倒的に少ない雑草の共生で、目的とする草木の成長を促進させることができる。
【００１８】
本発明の草木成育兼雑草防止用シートが肥料および草木の種の少なくとも１種を含有している場合、草もしくは木を育成しようとする土地としては、特に限定されないが、例えば緑化しようとする砂漠や荒れ地、修理しようとするゴルフ場のディボット、フラワーロードにしようとする土地、植林を行おうとする土地、苗床、家庭菜園等が挙げられる。
また、本発明の草木成育兼雑草防止用シートが肥料は含有しているが、草木の種は含有していない場合であって、土地へ適用後の該シートの上に草木の種を蒔かない場合には、草もしくは木を育成しようとする土地としては、特に限定されないが、例えば上記したごとく、すでに育成されている植林地、植物を育成している道路の中央分離帯、道路の並木地帯等のすでに育成されている草木のある土地が挙げられ、該シートはその土地の施肥および除草のために使用し得る。
【００１９】
なお、砂漠等の水が極端に少ない土地に対する適用に際しては、上記の適用以外に、本発明の草木成育兼雑草防止用シート（ただし、種を含まず、また肥料も必ずしも含まなくても良い）を中空円筒状に成形し、これを円筒柱として土地に立てて円筒柱の頂部を土地の面と同じ程度として埋めることも考えられる。この場合、円筒の中空部分には土を入れ、肥料を必要に応じ入れ、種を蒔きまたは苗（木）を植えることができる。円筒の高さは土地の性質にもよるが、例えば１０ｃｍ〜１ｍ程度が適当である。
【００２０】
【実施例】
次に実施例によって本発明を具体的に説明する。
実施例１
雑草防止用シートの作製および雑草防止試験
ホッチキス針等の異物を除いた古雑誌１０重量部を０．２ｃｍ幅に切断し、ミキサーに入れ、水５００重量部を加え、羽根の高速回転により古雑誌をスラリー状にした。ついでフライアッシュ（常磐火力産業株式会社製）５０重量部を加え、攪拌した。生じたスラリーをステンレス金網で脱水し、シート状に成形し、ついで１１０℃で熱風乾燥し、ついで切断して縦１２ｃｍ、横１５ｃｍ、厚さ約０．２ｃｍの雑草防止用シートとした。これらのシートの水含量は約３重量％であった。
ごく一般的な自然条件の土地を選び、除草処理（手作業による除草で草の地上部分は完全に除いたが、草の根等はある程度残っている）を行った。この土地に図１に示すような長方形の区画（各区画の寸法は縦１２ｃｍ、横１５ｃｍとした）を設け、Ｎｏ．１〜Ｎｏ．１５まで番号を付けた。Ｎｏ．１、Ｎｏ．８およびＮｏ．１０に上記の雑草防止用シートを敷いて地面を覆った。
これらの区画を自然条件下に放置し、約６か月後に区画内に生えた雑草の本数を数えた。結果を表１に示す。
【００２１】
【表１】
0003581557.tif 000002
【００２２】
表１から分るごとく、雑草防止用シート無しの区画における雑草の本数は平均９．９本であったのに対し、雑草防止用シート有りの区画における雑草の本数は全て０本であった。
【００２３】
実施例２
草木成育兼雑草防止用シートの作製および芝の成育兼雑草防止試験
古新聞１０重量部を０．２ｃｍ幅に切断し、ミキサーに入れ、水６００重量部を加え、羽根の高速回転により古新聞をスラリー状にした。ついでフライアッシュ５０重量部、腐葉土２５重量部および芝の種若干量（約１重量部）を加え、攪拌した。生じたスラリー状物をステンレス金網で脱水し、シート状に成形し、ついで４０℃で送風乾燥し、ついで切断して表２に示すシート面積を有し、厚さ約０．５ｃｍの草木成育兼雑草防止用シート４枚（Ａ、Ｂ、ＣおよびＤ）を得た。これらのシートの水含量は約５重量％であった。
ごく一般的な自然条件の土地を選び、一般的な除草処理（手作業による除草で草の地上部分は完全に除いたが、草の根等はある程度残っている）を行った。この土地に該シート４枚を適当な間隔をおいて敷き、自然条件下に放置した。８か月後の芝の株数および平均長さを表２に示す。なお、８か月後の時点でいずれの区画においても雑草の数は０であった。
【００２４】
【表２】
0003581557.tif 000003
【００２５】
【発明の効果】
共に産業廃棄物として再利用が模索されている古紙およびフライアッシュを主成分として含有する雑草防止用シートは長期間の雑草防止を可能にし、また古紙、フライアッシュ、および肥料および／または草木の種を主成分として含有する草木成育兼雑草防止用シートは草木の順調な成育と共に長期間の雑草防止を可能にする。
【図面の簡単な説明】
【図１】本発明の雑草防止用シートの効果を実証する実験において、該シートを適用しようとする区域を表す図である。
【図１】
0003581557.tif 000004